(57)【特許請求の範囲】
【請求項１】
電子デバイスの制御可能な機能を表示するためのグラフィカルユーザインターフェースタッチスクリーンであって：
機能はユーザによって認識しうるが、前記機能のフィーチャーに容易にアクセスするには小さすぎる大きさのサイズでアイコンの形態で前記機能を表示する手段と；
ユーザが前記アイコンの一領域にタッチすると、前記アイコンの少なくとも前記一領域の拡大バージョンを提供する手段と；
前記一領域の特定の一部分がタッチされると、前記拡大バージョンを前記アイコンに亙ってスクロールさせ、前記アイコンの新たな領域を拡大する手段と；
を有することを特徴とする、グラフィカルユーザインターフェースタッチスクリーン。
【請求項２】
フィーチャーが選択された後、前記アイコンを前記大きさのサイズに復帰させる手段、を更に有することを特徴とする、請求項１記載のグラフィカルユーザインターフェースタッチスクリーン。
【請求項３】
フィーチャーがユーザによって選択されたことを示す手段、を更に有することを特徴とする、請求項１記載のグラフィカルユーザインターフェースタッチスクリーン。
【請求項４】
前記アイコンは特定のサイズを有し、前記拡大バージョンは同じサイズであることを特徴とする、請求項１記載のグラフィカルユーザインターフェースタッチスクリーン。
【請求項５】
アイコンの機能を認識しうるが前記機能のフィーチャーを容易にアクセスするには小さすぎる大きさのサイズで前記アイコンの形態でＰＤＡの機能を表示するためのグラフィカルユーザインターフェースタッチスクリーンと；
ユーザがアイコンの少なくとも一領域をタッチすると、前記アイコンの前記一領域の拡大バージョンを提供するためのコントローラと；
を有し、
前記コントローラは、前記ユーザが前記一領域の特定の一部分をタッチすると、前記拡大バージョンを前記アイコンに亙ってスクロールさせ、前記アイコンの新たな領域を拡大することを特徴とするＰＤＡ。
【請求項６】
家電用電子デバイスを制御する遠隔制御装置であって、
アイコンの機能を認識しうるが、前記機能のフィーチャーを容易にアクセスするには小さすぎる大きさのサイズのアイコンの形態で前記遠隔制御装置の機能を表示するグラフィカルユーザインターフェースタッチスクリーンと、
ユーザがアイコンの少なくとも一領域をタッチすると、前記アイコンの前記一領域の拡大バージョンを提供するためのコントローラと、
を有し、
前記コントローラは、前記ユーザが前記一領域の特定の一部分をタッチすると、前記拡大バージョンを前記アイコンに亙ってスクロールさせ、前記アイコンの新たな領域を拡大することを特徴とする遠隔制御装置。
【請求項７】
請求項６に記載の遠隔制御装置であって、前記アイコンの少なくとも１つが、特定の種類の家電用電子デバイスのための遠隔制御装置を表示することを特徴とする遠隔制御装置。
【請求項８】
電子デバイスを操作する方法であって、
グラフィカルユーザインターフェースタッチスクリーン上に前記電子デバイスの機能を、前記機能がユーザによって認識しうるが前記機能のフィーチャーを容易にアクセスするには小さすぎる大きさのサイズのアイコンの形態で表示する工程と、
ユーザがアイコンの少なくとも一領域をタッチすると、前記アイコンの前記一領域の拡大バージョンを提供する工程であって、前記アイコンの前記一領域を、ユーザが前記タッチスクリーンをタッチすることによって前記アイコンの前記一領域内のフィーチャーを容易にアクセスするのに充分に大きくする、工程と、
を有し、
前記一領域の特定の一部分がタッチされると、前記拡大バージョンを前記アイコンに亙ってスクロールさせ、前記アイコンの新たな領域を拡大することを特徴とする方法。
【請求項９】
請求項１ないし４のうちいずれか１項記載のグラフィカルユーザインターフェースタッチスクリーンを有することを特徴とする電子デバイス。
【発明の詳細な説明】
【技術分野】
【０００１】
本発明は、一般に、グラフィカルユーザインターフェースを提供する比較的小型のディスプレイを有する電子デバイスに関する。特に、ハンドヘルド電子デバイスであって、グラフィカルユーザインターフェース（“ＧＵＩ”）と、電子デバイスの機能の全集合体をアクセスするための“タッチスクリーン”とを有する当該ハンドヘルド電子デバイスに関するものである。
【背景技術】
【０００２】
アイコンは、情報処理システムを制御するためのグラフィカルユーザインターフェース（ＧＵＩ）の技術分野で周知である。アイコンは、かなり大量の情報を小さな絵で表示したものである。アイコンは、基礎となるシステムの内容あるいは状態についての情報を凝縮した形式で提供する。アイコンは、システムの内容あるいは操作を迅速に伝達するオペレータ概念を視覚認識によってトリガするように設計されている。従って、システムは、アイコンの駆動によって容易にアクセスあるいは利用できる。
【０００３】
家庭用娯楽システムのためのコントローラユニットの一例に、ケンウッド社のステージ３コントローラユニットがあり、ケンウッド社の使用説明書“ＳＴＡＧＥ３／Ｓｅｔｔｉｎｇ  ｕｐ  ｙｏｕｒ  ＫＣ−Ｚ１  Ｃｏｎｔｒｏｌｌｅｒ”（１９９６）に記述されている。このコントローラユニットは、ＧＵＩのためのタッチスクリーンの機能性を有するハンドヘルドコントローラを具えている。ＧＵＩは、システムの多数の機能性に相当する多数のアイコンを提供する。これらの機能性は、タッチスクリーン上のアイコンによって起動される。ＧＵＩは、メインメニュー内に存在すべきアイコン及びメインメニュー内に存在すべきではないアイコンを選択するようにユーザがプログラミングしうるようになっている。これは、ＧＵＩにとって利用できるスクリーンスペースが比較的わずかであるためである。
【０００４】
現在の家庭用娯楽システムは、ユーザにとって利用できる機能を多数持っている。ケンウッド社は、利用可能な機能の個数を増大させるためにＧＵＩを用いている。例えば、家電用電子デバイスや、個人用デジタル補助装置や、更に写真複写機に対する遠隔制御装置のようなハンドヘルドデバイスに用いるＧＵＩディスプレイに関する問題は、これらのディスプレイが比較的小さいということである。タッチスクリーンの機能性をこれらのディスプレイに追加するということは、表示されたアイコンが人間の指でアクセス可能なほど充分に大きくなければならないこと、あるいはアイコンを小さくする場合でも、これらアイコンは、ある種類のスタイラスを用いてアイコンに“タッチ”しうる程度に大きくする必要があるということを意味する。これよりも大きいアイコンを用いると、表示されるべき機能性の数が減少する。これらの欠点により、ハンドヘルドデバイス上にタッチスクリーンディスプレイを用いることを制限する。
【発明の概要】
【発明が解決しようとする課題】
【０００５】
従って、本発明の目的は、ハンドヘルドデバイス上のＧＵＩタッチスクリーンディスプレイであって、アイコンのフィーチャーをユーザによって容易にアクセスしうるようにした当該ハンドヘルドデバイス上のＧＵＩタッチスクリーンディスプレイを提供することにある。
【課題を解決するための手段】
【０００６】
この目的は、アイコンの機能が、ユーザによって認識できるが容易にアクセスできない程度に比較的小さくなっているこのアイコンがＧＵＩ上に設けられているが、ユーザがアイコンにタッチすると、ユーザの指あるいはスタイラスによってアイコンの機能に正確にタッチすることができるようにアイコンが拡大されるようにするズームフィーチャーを与えることにより達成される。
【図面の簡単な説明】
【０００７】
【図１Ａ】キーボードアイコンを示すＰＤＡＧＵＩタッチスクリーンの線図である。
【図１Ｂ】ユーザが文字‘Ｈ’の場所付近でキーボードアイコンにタッチした後の図１ＡのＰＤＡの線図である。
【図１Ｃ】アイコンの拡大された領域がアイコン領域のみを占めている図１ＡのＰＤＡの線図である。
【図２Ａ】キーボードアイコンを示す遠隔制御装置ＧＵＩタッチスクリーンキーパッドの線図である。
【図２Ｂ】図２Ａでアイコンのボリューム∧部分をタッチした場合の図２Ａの遠隔制御装置の線図である。
【図３】本発明による電子デバイスである。
【発明を実施するための形態】
【０００８】
原アイコンがキーボードの絵であると仮定すると、この原アイコンは、本発明によれば、表示されたキーを認識しうる程度に充分大きいが、個々のキーをユーザが良好にアクセスするには小さすぎるようにする。本発明の一例では、ユーザがキーボードアイコンにタッチすると、タッチされたアイコンの領域、例えば‘Ｇ’キーを囲むキーを拡大すなわちズームインさせ、この領域が、原キーボードアイコンに対し与えられた全スペースを占めるようにする。あるいは又、他の例では、ユーザがキーボードアイコンにタッチすると、アイコン全体が、基本的にＧＵＩスクリーンを占めるまで大きくなるようにするか、あるいはタッチされた領域のみが、ＧＵＩスクリーンを占めるのに充分なだけ大きくなるようにする。
【実施例】
【０００９】
本発明の更に他の例では、ユーザは、新たな領域が拡大するようにキーボードに亙るスクロールを行ないうるようにする。
【００１０】
本発明は、タッチスクリーンＧＵＩを形成するための比較的小型のディスプレイを有する電子デバイスや、遠隔制御装置及び個人用デジタル補助装置（パーソナルデジタルアシスタント：ＰＤＡ）のようなハンドヘルド電子デバイスにも関するものである。これらのデバイスは、ＧＵＩ表示ディスプレイと、ＧＵＩのタッチスクリーンの機能性によってユーザがシステムを制限できるようにするコントローラとを具えている。ＧＵＩは各アイコンに対するレイアウトを与え、コントローラとＧＵＩとが合俟ってアイコンをタッチスクリーン起動のための拡大バージョンにズームインする拡大機能性を与える。
【００１１】
従って、本発明はいくつかの工程を有すると共に、１つ以上の工程とその他の工程との関係を有し、構造の特徴を具現化する装置と、これらの工程を行なうのに適する素子の組合せ及び部品の配置と、以下の図面に関する説明で例示したすべてと、本発明の他の範囲とを請求の範囲に示す。
【００１２】
［好適な実施例の詳細な説明］
グラフィカルユーザインターフェースは当該技術分野で周知である。米国特許第５，４６３，７２５号は、タッチスクリーンの機能性を有するＧＵＩの一例である。この米国特許は参考のために記載したものである。
【００１３】
図１Ａ及び図１Ｂは、本発明によるタッチスクリーンＧＵＩ１３を有するＰＤＡ１０を示している。キーボードアイコン１２は、その機能性を見るには充分な大きさで表示されているが、単一キーを良好にタッチスクリーン起動するには小さすぎる。ユーザがキーボードアイコン１２の領域１４にタッチした場合、その結果のディスプレイ１６を図１Ｂに示す。このディスプレイ１６から明らかなように、領域１４を囲む個々のキーが拡大され、‘Ｇ’キー１８あるいはその他近隣のキーのような単一キーを指で容易にタッチスクリーン起動するのに充分なだけ大きくなっている。‘Ｇ’キー１８をリリースすると、‘Ｇ’キー１８はハイライト（反転表示）されてその起動を示し、次に、ＧＵＩ１３は最初のアイコン１２を再表示する。図１Ｂは、アイコンを増大させた際の実寸法を示しているが、これは本発明の必要条件ではない。あるいは又、アイコンを同じ大きさに維持して、アイコンのフィーチャー（特徴事項）を、図１Ｃに示すように、拡大すなわちズームインするようにする。
【００１４】
本発明の他の例では、アイコン１２が領域１４でタッチされ、リリースされ、アイコンのフィーチャーが拡大されると、ユーザはキーすなわちフィーチャーを選択でき、キーを選択した後にユーザの指を離すると、アイコンは自動的にディスプレイ１６を初期状態１２に戻さず、その代わりにユーザが別の選択を行ないうるようにしている。キーを選択せずに予め決められた期間が経過した後、アイコンは初期状態１２に戻る。
【００１５】
本発明の更なる実施例では、拡大された領域の特定のエッジ部分にユーザがタッチし、これによりキーボードの次の領域を拡大させ、従ってスクロール効果を実現することによって、ユーザはキーボードをその全体に亙って移動させることができる。本発明のこの実施例では、アイコンの機能すなわちキーが選択されたら、アイコンが最初の大きさに戻るようにするか、あるいはこの実施例の場合もキーを選択しない状態で予め決められた期間が経過するまでアイコンを拡大された状態に維持するようにできる。
【００１６】
図２Ａは、タッチスクリーンＧＵＩ２２を有する、家電用電子デバイス用遠隔制御装置２０を示している。ＶＣＲアイコン２３、ＤＶＤアイコン２４及びＴＶアイコン２５の３つのアイコンが表示されている。アイコンのそれぞれが小さすぎるので、アイコンと関連する複数のキーを容易にアクセスすることはできないが、キーは認識可能である。アイコンの１つにタッチすると、タッチした点２６を囲む領域が図２Ｂに示すように拡大されるか、あるいは又、ディスプレイが充分大きければ、特定のデバイスに対するすべてのキーをアクセスしうるようになる。ＰＤＡに関して上記で説明した、スクロール効果３０のような機能性も遠隔制御装置内に含めることができる。更に、アイコン自体は同じ大きさを維持するが、アイコンのフィーチャーはズームインさせるようにすることができる。
【００１７】
図３は、ＧＵＩタッチスクリーンディスプレイ３０’と、これに関連する、ＧＵＩのタッチスクリーン駆動を可能にするコントローラ３５とのブロック図を示している。
【００１８】
上述したところから明らかなように、前述した本発明の目的は有効に達成される。本発明は上述した実施例に限定されず、幾多の変更を加えうることは明らかである。
【図１Ａ】
0005543426.tif 000002
【図１Ｂ】
0005543426.tif 000003
【図１Ｃ】
0005543426.tif 000004
【図２Ａ】
0005543426.tif 000005
【図２Ｂ】
0005543426.tif 000006
【図３】
0005543426.tif 000007